(57)【要約】【課題】膨張性浮袋をファスナにより収納カバー内に綴じしていても、ボンベ開栓時に膨張性浮袋を確実に展開させることができるライフジャケットを提供する。【解決手段】ボンベ開栓時にボンベから導入される不活性ガスにより膨張する膨縮可能な帯状の膨張性浮袋１２と、膨張性浮袋１２を収縮させて帯状に折り畳んだ状態で外方からファスナ１５により綴じて上記ボンベと共に収納する収納カバー１３と、ボンベ、膨張性浮袋１２及び収納カバー１３を身体の胸部下側周りに拘束する拘束ベルト１４とを備える。ファスナ１５に、ボンベの開栓時に膨張性浮袋１２の膨張に合わせてファスナ１５のエレメント同士のかみ合い部分を積極的に分離させる分離起点部１６を設ける。分離起点部１６に、ボンベ閉栓時にファスナ１５のエレメント同士のかみ合い部分を分離不能に拘束する拘束手段１７を設ける。【選択図】図１
2011068297.tif 000002
【特許請求の範囲】
【請求項１】
不活性ガスを封入したボンベと、
上記ボンベの開栓時に当該ボンベから導入される不活性ガスにより膨張する膨縮可能な帯状の膨張性浮袋と、
上記膨張性浮袋を収縮させて帯状に折り畳んだ状態で外方からファスナにより綴じて上記ボンベと共に収納する収納カバーと、
上記ボンベ、上記膨張性浮袋及び上記収納カバーを身体に拘束する拘束ベルトと、を備え、
上記ファスナには、上記ボンベの開栓時に上記膨張性浮袋の膨張に合わせて上記ファスナのエレメント同士のかみ合い部分を積極的に分離させる分離起点部が設けられていることを特徴とするライフジャケット。
【請求項２】
上記分離起点部が、上記ボンベの開栓により不活性ガスが導入される上記膨張性浮袋の導入口付近に対応する上記ファスナの対応部位に設けられるものである請求項１に記載のライフジャケット。
【請求項３】
上記分離起点部には、上記ボンベの閉栓時に上記ファスナのエレメント同士のかみ合い部分を分離不能な状態で拘束する拘束手段が設けられ、この拘束手段は、上記ボンベの開栓時に上記膨張性浮袋の膨張に合わせて上記ファスナのエレメント同士のかみ合い部分の拘束を解除するものである請求項１または請求項２に記載のライフジャケット。
【発明の詳細な説明】
【技術分野】
【０００１】
本発明は、水難事故における水難者の安全を確保するために用いられるライフジャケットに関する。
【背景技術】
【０００２】
海、湖沼あるいは河川における水難事故において、漁船やレジャーボートなどの船舶から落下した水難者の安全を確保するために、ライフジャケット（救命胴衣）の着用が推奨されている。
このようなライフジャケットとしては、従来より、不活性ガスを封入したボンベと、該ボンベの開栓時に導入される不活性ガスにより膨張する膨縮可能な帯状の膨張性浮袋と、該膨張性浮袋を収縮させて帯状に折り畳んだ状態で外方から面ファスナにより綴じて上記ボンベと共に収納する収納カバーと、上記ボンベ、上記膨張性浮袋及び上記収納カバーを身体に拘束する拘束ベルトと、を備えたものが知られている（例えば、特許文献１参照）。上記ライフジャケットでは、着水時の水との接触による自動操作又は水難者自身による手動操作によりボンベが開栓し、このボンベの開栓時に導入される不活性ガスにより上記膨張性浮袋を膨張させる。そして、上記面ファスナのフック状に起毛されたフック側部位とループ状に密集して起毛されたループ側部位とを、上記膨張性浮袋の膨張に合わせて積極的に分離させることにより、上記収納カバーの内部から上記膨張性浮袋をスムーズに展開させて浮力を生じさせるようにしている。
【先行技術文献】
【特許文献】
【０００３】
【特許文献１】特開２００３−２００８８６号公報
【発明の概要】
【発明が解決しようとする課題】
【０００４】
ところで、上記ライフジャケットでは、ボンベの開栓時に膨張性浮袋の膨張に合わせて面ファスナが積極的に分離して収納カバーの内部から膨張性浮袋がスムーズに展開できるものの、上記面ファスナは、その構造上、フック側部位とループ側部位とにゴミなどが付着し易いものであった。その場合、面ファスナは、定期的に付着したゴミを除去する必要があるが、帯状の収納カバーのほぼ全域に亘って設けられたものであるため、ゴミの除去作業が非常に煩わしいものとなる。
かかる点から、面ファスナは、ゴミの除去作業がほとんど行われることがなく、フック側部位とループ側部位とにそれぞれ付着したゴミによって接着力が経時的に低下して互いに分離し易いものとなり、ボンベの閉栓時であるにも関わらず膨張性浮袋を収納カバーの内部に拘束しておくには無理がある。
しかも、面ファスナのフック側部位とループ側部位とにそれぞれ付着したゴミによって見栄えが悪化するといった問題もある。
【０００５】
そこで、上記面ファスナに代えて、樹脂製のエレメントがテープに射出成型された、所謂“ビスロン”ファスナなど（以下、単にファスナという）を用いることが考えられる。このものでは、ボンベの閉栓時における膨張性浮袋の拘束が確実に行える上、ゴミなどが付着し難いものとなって見栄えが良好に確保される。
【０００６】
しかしながら、このようなファスナでは、エレメント同士のかみ合いが強いため、ボンベの開栓時に膨張性浮袋が膨張してもエレメント同士が分離し難く、膨張性浮袋をスムーズに展開することができないおそれがある。
【０００７】
本発明は、かかる点に鑑みてなされたものであり、その目的とするところは、膨張性浮袋をエレメント同士のかみ合いが強いファスナにより綴じて収納カバーの内部に収納していても、ボンベの開栓時に膨張性浮袋を確実に展開させることができるライフジャケットを提供することにある。
【課題を解決するための手段】
【０００８】
上記目的を達成するため、本発明では、ライフジャケットとして、不活性ガスを封入したボンベと、上記ボンベの開栓時に当該ボンベから導入される不活性ガスにより膨張する膨縮可能な帯状の膨張性浮袋と、上記膨張性浮袋を収縮させて帯状に折り畳んだ状態で外方からファスナにより綴じて上記ボンベと共に収納する収納カバーと、上記ボンベ、上記膨張性浮袋及び上記収納カバーを身体に拘束する拘束ベルトと、を備える。そして、上記ファスナに、上記ボンベの開栓時に上記膨張性浮袋の膨張に合わせて上記ファスナのエレメント同士のかみ合い部分を積極的に分離させる分離起点部を設けている。
この特定事項により、ボンベの開栓時に膨張性浮袋が膨張すると、その膨張性浮袋の膨張に合わせてファスナの分離起点部が起点となって当該ファスナのエレメント同士のかみ合い部分の分離が円滑に行われる。これにより、ボンベの開栓時に膨張性浮袋を確実に展開させることが可能となる。
【０００９】
また、上記分離起点部が、上記ボンベの開栓により不活性ガスが導入される上記膨張性浮袋の導入口付近に対応する上記ファスナの対応部位に設けられるものであることが好ましい。これによれば、ボンベからの不活性ガスの導入口付近において膨張し始める膨張性浮袋の膨張に合わせてファスナのエレメント同士のかみ合い部分が効果的に分離し、ボンベの開栓時に膨張性浮袋を効率よく展開させることができる。
【００１０】
更に、上記分離起点部に、上記ボンベの閉栓時に上記ファスナのエレメント同士のかみ合い部分を分離不能に拘束する拘束手段を設け、この拘束手段が、上記ボンベの開栓時に上記膨張性浮袋の膨張に合わせて上記ファスナのエレメント同士のかみ合い部分の拘束を解除するものであることが好ましい。
この場合には、エレメント同士のかみ合い部分が分離し易いファスナの分離起点部が拘束手段によって拘束されているので、ファスナのエレメント同士のかみ合い部分がボンベの閉栓時に不用意に分離することがなく、膨張性浮袋を収納カバーの内部に円滑に拘束しておくことができる。一方、ボンベの開栓時に膨張性浮袋が膨張し始めると、その膨張に合わせて、拘束手段による膨張性浮袋の拘束が解除されるので、ファスナのエレメント同士のかみ合い部分が効果的に分離し、膨張性浮袋をスムーズに展開させることができる。
【発明の効果】
【００１１】
以上、要するに、ボンベの開栓時に膨張性浮袋の膨張に合わせてエレメント同士のかみ合い部分を積極的に分離させる分離起点部をファスナに設けることで、膨張性浮袋の膨張に合わせてファスナの分離起点部を起点とするエレメント同士のかみ合い部分の分離が円滑に行われ、ボンベの開栓時に膨張性浮袋を確実に展開させることができる。
【図面の簡単な説明】
【００１２】
【図１】本発明の実施の形態に係るボンベ閉栓時のライフジャケットを身体に装着した状態で前方から見た斜視図である。
【図２】本発明の実施の形態に係るボンベの開栓機構の構成を示す分解斜視図である。
【図３】本発明の実施の形態に係るボンベ閉栓時のライフジャケットを身体に装着した状態でのファスナの分離起点部を拡大して示す斜視図である。
【図４】本発明の実施の形態に係るボンベ開栓時のライフジャケットを身体に装着した状態で前方から見た斜視図である。
【図５】本発明の実施の形態の変形例に係るボンベ閉栓時のライフジャケットを身体に装着した状態で前方から見た斜視図である。
【図６】本発明の実施の形態の変形例に係るボンベ閉栓時のライフジャケットを下方から見た斜視図である。
【図７】本発明の実施の形態の変形例に係るボンベ開栓時のライフジャケットを身体に装着した状態で前方から見た斜視図である。
【図８】本発明の実施の形態の変形例に係るボンベ開栓時のライフジャケットを身体に装着した状態で後方から見た斜視図である。
【発明を実施するための形態】
【００１３】
以下、添付図面を参照しながら、本発明の実施の形態について説明し、本発明の理解に供する。尚、以下の実施の形態は、本発明を具体化した一例であって、本発明の技術的範囲を限定する性格のものではない。
まず、図１を用いて、本発明の実施の形態に係るライフジャケット１の概略構成について説明する。
【００１４】
図１に示すように、上記ライフジャケット１は、首に掛けて装着する帯状タイプのものであって、後述するボンベ１１（図２に表れる）と、膨縮可能な膨張性浮袋１２と、収納カバー１３と、拘束ベルト１４とを備えている。
【００１５】
上記膨張性浮袋１２は、上記ボンベ１１の開栓時に当該ボンベ１１より導入される不活性ガスにより膨張する膨縮可能な帯状のものであり、不活性ガスの排出により膨張状態から収縮状態に戻される。
【００１６】
上記収納カバー１３は、上記膨張性浮袋１２を収縮させた状態で帯状に折り畳んで上記ボンベ１１と共に収納するものである。上記収納カバー１３の内面には、上記膨張性浮袋１２の裏面が接着されている。そして、上記収納カバー１３は、上記膨張性浮袋１２を収縮させて帯状に折り畳んだ状態で外方からファスナ１５により綴じて上記ボンベ１１と共に収納している。
【００１７】
上記拘束ベルト１４は、上記ボンベ１１、上記膨張性浮袋１２及び収納カバー１３を身体に拘束するものである。この拘束ベルト１４は、身体の胸部下側周りに装着され、収納カバー１３の両端部をバックル１４ａ付近で止着している。
【００１８】
上記ボンベ１１は、二酸化炭素などの不活性ガスが内部に封入されている。このボンベ１１に封入されるガスとしては、二酸化炭素に限定されるものではなく、ヘリウムガスの他、炭素や酸素などの不活性ガスであってもよい。
また、図２に示すように、上記ボンベ１１の一端（図２では右端）には、不活性ガスを内部に封止する栓（図示せず）が設けられている。この栓の反ボンベ１１側（図２では右側）には、上記栓との当接により当該栓を開栓する針（図示せず）が連設されている。この針は、その反ボンベ１１側からの衝撃により栓側（図２では左側）へ移動可能に設けられている。
【００１９】
上記針の反ボンベ１１側には、上記栓を開栓する開栓機構２が設けられている。この開栓機構２は、ボンベ１１の一端に他端（図２では左端）が螺着された開栓機構本体２１と、この開栓機構本体２１の一端に略円筒状のスプール２２を介して螺着された付勢部材２３とを備えている。
【００２０】
上記開栓機構本体２１は、上記膨張性浮袋１２に不活性ガスを導入する導入口（図示せず）に対しガス導入可能に連結される連結口２１ａと、着水時に内部に水を導入する水導入口（図示せず）とを有している。また、上記付勢部材２３は、上記張りに対し当接する突起２３ａと、該突起２３ａを針側に付勢する圧縮スプリング２３ｂとを備えている。そして、スプール２２は、上記圧縮スプリング２３ｂにより付勢された突起２３ａの移動を当接により規制するものであり、放射状に配置された複数の水溶性のカプセル型錠剤により構成されている。このスプール２２及び付勢部材２３（突起２３ａ及び圧縮スプリング２３ｂ）は、付勢部材２３の螺着時に上記開栓機構本体２１の内部に収容される。そして、着水時に水導入口から導入された水によりスプール２２が溶解すると、圧縮スプリング２３ｂにより付勢された突起２３ａが針と当接してボンベ１１の栓を開栓し、ボンベ１１からの不活性ガスが連結口２１ａを介して膨張性浮袋１２に導入されて当該膨張性浮袋１２を膨張させる。また、開栓機構本体２１には、手動によりボンベ１１の栓を開栓させるための紐２４が取り付けられ、この紐２４の先端は、収納カバー１３の下方に導出している。そして、上記ボンベ１１の栓は、ライフジャケット１の装着者が上記紐２４を右手で引っ張ることで強制的に開栓する。
【００２１】
そして、図３に示すように、上記ファスナ１５には、上記ボンベ１１の開栓時に上記膨張性浮袋１２の膨張に合わせて上記ファスナ１５のエレメント１５ａ，１５ａ同士のかみ合い部分を積極的に分離させる分離起点部１６が設けられている。この分離起点部１６でのファスナ１５のエレメント１５ａ，１５ａの形状は、スライダ１５ｂによってエレメント１５ａ，１５ａ同士をかみ合わせても互いに引っ掛かり合わずに直ぐに分離する形状に変更されている。また、図４に示すように、ボンベ１１及び開栓機構２は、膨張性浮袋１２の一方の端部（図４では左側の端部）付近に設けられたポケット状の保持部１２ａに保持されている。そして、上記分離起点部１６は、上記ボンベ１１の開栓により不活性ガスが導入される上記膨張性浮袋１２の導入口付近に対応する上記ファスナ１５の対応部位つまり上記保持部１２ａの近傍に位置している。
【００２２】
更に、上記分離起点部１６には、上記ボンベ１１の閉栓時に上記ファスナ１５のエレメント１５ａ，１５ａ同士のかみ合い部分を分離不能に拘束する拘束手段１７が設けられている。この拘束手段１７は、一方のエレメント１５ａ側（図３では左側）に一辺が取り付けられた略矩形状の拘束片１７ａと、他方のエレメント１５ａ側（図３では右側）に取り付けられた面ファスナ１８のフック状に起毛するフック側部位１８ａと、このフック側部位１８ａに対応する拘束片１７ａの他辺に取り付けられた面ファスナ１８のループ状に密集して起毛するループ側部位１８ｂとからなる。そして、上記ボンベ１１の閉栓時には、面ファスナ１８のフック側部位１８ａとループ側部位１８ｂとの接着力で他辺側に引っ張られた拘束片１７ａにより、上記分離起点部１６でのファスナ１５のエレメント１５ａ，１５ａ同士のかみ合い部分を互いに引き寄せ合って分離不能な状態に拘束する。一方、上記ボンベ１１の開栓時には上記膨張性浮袋１２の膨張に合わせて面ファスナ１８のフック側部位１８ａとループ側部位１８ｂとが分離し、上記分離起点部１６でのファスナ１５のエレメント１５ａ，１５ａ同士のかみ合い部分の分離不能な状態での拘束を解除する。
【００２３】
したがって、上記実施の形態では、ボンベ１１の開栓時に膨張性浮袋１２が膨張すると、その膨張性浮袋１２の膨張に合わせて面ファスナ１８のフック側部位１８ａとループ側部位１８ｂとが分離し、分離起点部１６でのファスナ１５のエレメント１５ａ，１５ａ同士のかみ合い部分の拘束が解除される。これにより、ファスナ１５の分離起点部１６が起点となって当該ファスナ１５のエレメント１５ａ，１５ａ同士のかみ合い部分の分離が円滑に行われ、ボンベ１１の開栓時に膨張性浮袋１２を確実に展開させることができる。
【００２４】
また、上記分離起点部１６が、上記ボンベ１１の開栓により不活性ガスが導入される膨張性浮袋１２の導入口付近に対応するファスナ１５の対応部位つまり保持部１２ａの近傍に位置している。これにより、ボンベ１１からの不活性ガスの導入口付近において膨張し始める膨張性浮袋１２の膨張に合わせてファスナ１５のエレメント１５ａ，１５ａ同士のかみ合い部分が効果的に分離し、ボンベ１１の開栓時に膨張性浮袋１２をスムーズに展開させる上で非常に有利なものとなる。
【００２５】
更に、上記ボンベ１１の閉栓時には面ファスナ１８のフック側部位１８ａとループ側部位１８ｂとの接着力で引っ張られた拘束片１７ａにより、上記分離起点部１６でのファスナ１５のエレメント１５ａ，１５ａ同士のかみ合い部分を互いに引き寄せ合って分離不能な状態に拘束している。これにより、ファスナ１５のエレメント１５ａ，１５ａ同士のかみ合い部分がボンベ１１の閉栓時に不用意に分離することがなく、膨張性浮袋１２を収納カバー１３の内部に円滑に拘束しておくことができる。
【００２６】
また、面ファスナ１８は、拘束片１７ａの他辺を接着するだけの短いもので済むので、フック側部位１８ａとループ側部位１８ｂとに付着したゴミの除去も簡単に行え、ゴミの付着による面ファスナ１８の経時的な接着力の低下を抑制して、ボンベ１１の閉栓時に分離起点部１６を確実に拘束することができる上、ゴミによる面ファスナ１８の見栄えの悪化も抑制できる。
【００２７】
本発明は、上記実施の形態に限定されるものではなく、その他種々の変形例を包含している。例えば、上記実施の形態では、首に掛けて装着する帯状タイプのライフジャケット１について述べたが、図５〜図８に示すように、腰の周りに巻いて装着する帯状タイプのライフジャケット３であってもよい。このライフジャケット３は、膨張性浮袋１２を収縮させた状態で帯状に折り畳んで外方からファスナ１５により綴じてボンベ１１と共に収納する収納カバー１３と、上記ボンベ１１、上記膨張性浮袋１２及び上記収納カバー１３を身体の腰周りに拘束する拘束ベルト１４とを備える。また、上記ボンベ１１及び開栓機構２を保持する保持部１２ａが、上記膨張性浮袋１２の長手方向略中央部（身体に装着した状態では背中の略中央部）付近に設けられている。更に、上記ファスナ１５の分離起点部１６は、上記ボンベ１１の開栓により不活性ガスが導入される上記膨張性浮袋１２の導入口付近に対応する上記ファスナ１５の対応部位つまり保持部１２ａの近傍に位置している。この分離起点部１６にも拘束手段１７が設けられ、この拘束手段１７は、一方のエレメント１５ａ側（図６では下側）に一辺が取り付けられた略矩形状の拘束片１７ａと、他方のエレメント１５ａ側（図６では上側）に拘束片１７ａの他辺を接着する面ファスナ１８とからなる。また、図７及び図８に示すように、膨張性浮袋１２の長手方向一端には他端を連結する係合ベルト３１の一端が取り付けられ、この係合ベルト３１によってボンベ１１開栓時に膨張した膨張性浮袋１２の両端を連結している。この変形例においても、上記実施の形態と同様の作用効果が得られる。
【００２８】
また、上記実施の形態では、拘束手段１７を拘束片１７ａと面ファスナ１８とで構成したが、拘束片の他辺がスナップボタンによって接着されるような拘束手段であってもよい。要するに、拘束片の他辺が膨張性浮袋の膨張によって分離するような拘束手段であればなんでもよい。
【符号の説明】
【００２９】
１，３  ライフジャケット
１１  ボンベ
１２  膨張性浮袋
１３  収納カバー
１４  拘束ベルト
１５  ファスナ
１５ａ  エレメント
１６  分離起点部
１７  拘束手段
【図１】
2011068297.tif 000003
【図２】
2011068297.tif 000004
【図３】
2011068297.tif 000005
【図４】
2011068297.tif 000006
【図５】
2011068297.tif 000007
【図６】
2011068297.tif 000008
【図７】
2011068297.tif 000009
【図８】
2011068297.tif 000010